(57)【要約】【課題】室内ユニットと温水ユニットを備え、温水ユニットの能力を向上できる空気調和温水機器システムを提供する。【解決手段】室外ユニット１００は、冷媒と空気との間で熱交換が行われる室外熱交換器１０５と、室外熱交換器１０５と接続され冷媒を圧縮する圧縮機１０１とを有する。室内ユニット２００は室外熱交換器１０５および圧縮機１０１と直列に接続され、冷媒と空気との間で熱交換が行われる室内熱交換器２０１を有する。温水ユニット３００は室内熱交換器２０１と並列に接続され、冷媒と湯水との間で熱交換が行われる水−冷媒熱交換器３１１を有する。制御部は、室外ユニット１００、室内ユニット２００及び温水ユニット３００を制御して室内ユニット２００の暖房能力および温水ユニット３００が前記湯水に与える加熱能力を制御し、加熱能力が所定値よりも低いときに、室内ユニット２００の暖房能力を低下させる制御を行う。【選択図】図２
2012141113.tif 000002
【特許請求の範囲】
【請求項１】
冷媒と空気との間で熱交換が行われる室外熱交換器（１０５）と、前記室外熱交換器と接続され前記冷媒を圧縮する圧縮機（１０１）とを有する室外ユニット（１００）と、
前記室外熱交換器および前記圧縮機と直列に接続され前記冷媒と空気との間で熱交換が行われる室内熱交換器（２０１）を有する室内ユニット（２００）と、
前記室内熱交換器と並列に接続され、前記冷媒と湯水との間で熱交換が行われる水−冷媒熱交換器（３１１）を有する温水ユニット（３００）と、
前記室外ユニット、前記室内ユニット及び前記温水ユニットを制御して前記室内ユニットの暖房能力および前記温水ユニットが前記湯水に与える加熱能力を制御し、前記加熱能力が所定値よりも低いときに、前記室内ユニットの前記暖房能力を低下させる制御を行う制御部（１５０，２５０，３５０）と
を備える、空気調和温水機器システム。
【請求項２】
前記室内ユニット（２００）は前記室内熱交換器（２０１）へと空気を送る室内ファン（２０２）を備え、前記制御部（２５０）は前記室内ファンの回転速度を低下させて前記暖房能力を低下させる、請求項１に記載の空気調和温水機器システム。
【請求項３】
前記制御部（１５０，２５０，３５０）は前記室内ユニット（２００）が設けられる室内の設定温度に基づいて前記室外ユニット（１００）及び前記室内ユニットを制御し、前記加熱能力が前記所定値よりも低いときに、前記設定温度を低下させて前記暖房能力を低下させる、請求項１に記載の空気調和温水機器システム。
【請求項４】
前記制御部（１５０，２５０，３５０）は、前記湯水の温度の時間に対する上昇割合が第２所定値よりも小さいときに、前記加熱能力が前記所定値よりも低いと判断する、請求項１から３の何れか一つに記載の空気調和温水機器システム。
【請求項５】
前記制御部（１５０，２５０，３５０）は前記水−冷媒熱交換器（３１１）へと前記冷媒を供給し始めてから所定期間が経過した後の前記湯水の前記温度が第３所定値よりも小さいときに、前記加熱能力が前記所定値よりも低いと判断する、請求項１から３のいずれか一つに記載の空気調和温水機器システム。
【請求項６】
前記制御部（１５０，２５０，３５０）は、前記水−冷媒熱交換器（３１１）における前記冷媒の凝縮温度が第４所定値よりも小さいときに、前記加熱能力が前記所定値よりも低いと判断する、請求項１から３の何れか一つに記載の空気調和温水機器システム。
【請求項７】
前記制御部（１５０，２５０，３５０）は前記加熱能力が前記所定値よりも小さいかどうかを複数の時点で判断し、その各々の時点で肯定的な判断がなされれば、その都度、前記暖房能力を低下させる制御を行う、請求項１から６のいずれか一つに記載の空気調和温水機器システム。
【請求項８】
前記室内ユニット（２００）は複数あって、
前記複数の前記室内ユニットの少なくとも一つに優先が割り当てられ、前記複数の前記室内ユニットのうち、前記優先が割り当てられなかった室内機の少なくとも一つに非優先が割り当てられ、
前記制御部（１５０，２５０，３５０）は、前記加熱能力が前記所定値よりも低いときに、前記非優先が割り当てられた前記室内ユニットの前記暖房能力を低下させる、請求項１乃至７のいずれか一つに記載の空気調和温水機器システム。
【発明の詳細な説明】
【技術分野】
【０００１】
本発明は、空気調和温水機器システムに関し、特に室内ユニットの暖房能力および温水ユニットの加熱能力の制御に関する。
【背景技術】
【０００２】
特許文献１には空気調和機と床暖房とが一つの室外ユニットを共用するシステムが開示されている。かかる特許文献１における課題は、空気調和機の室内ユニットから吹き出される風が居住者に当たることにより居住者が感じるドラフト感や、室内ユニットのファンの送風音により、ドラフト感がなく静かであるという床暖房のメリットが損なわれることである。
【０００３】
そこで、特許文献１に記載の技術では、室内の温度が所定の温度に達した以降に、室内ユニットの風量を下げる制御が行われる。
【０００４】
なお、本願に関連する技術として特許文献２，３が開示されている。
【先行技術文献】
【特許文献】
【０００５】
【特許文献１】特開２００５−５５４４５号公報
【特許文献２】特開２０００−４６４０１号公報
【特許文献３】特開２００６−３８３５８号公報
【特許文献４】特開２００５−１６８８１号公報
【発明の概要】
【発明が解決しようとする課題】
【０００６】
特許文献１のように、室温がある程度上昇した時点で室内機の風量を落とす制御をすれば、室内の空調負荷が大きい場合に室温が所望の割合で上昇せず、床暖房側に能力が室内機からシフトできずに床温が上がりにくい。
【０００７】
他方、室内の温度が低くても床温度が高いほうが、ユーザにとっては快適である。
【０００８】
そこで、本発明は、室内ユニットと温水ユニットを備える空気調和温水機器システムにおいて、温水ユニットの能力を向上できる技術を提供することを目的とする。
【課題を解決するための手段】
【０００９】
本発明にかかる空気調和温水機器システムの第１の態様は、冷媒と空気との間で熱交換が行われる室外熱交換器（１０５）と、前記室外熱交換器と接続され前記冷媒を圧縮する圧縮機（１０１）とを有する室外ユニット（１００）と、前記室外熱交換器および前記圧縮機と直列に接続され前記冷媒と空気との間で熱交換が行われる室内熱交換器（２０１）を有する室内ユニット（２００）と、前記室内熱交換器と並列に接続され、前記冷媒と湯水との間で熱交換が行われる水−冷媒熱交換器（３１１）を有する温水ユニット（３００）と、前記室外ユニット、前記室内ユニット及び前記温水ユニットを制御して前記室内ユニットの暖房能力および前記温水ユニットが前記湯水に与える加熱能力を制御し、前記加熱能力が所定値よりも低いときに、前記室内ユニットの前記暖房能力を低下させる制御を行う制御部（１５０，２５０，３５０）とを備える。
【００１０】
本発明にかかる空気調和温水機器システムの第２の態様は、第１の態様にかかる空気調和温水機器システムであって、前記室内ユニット（２００）は前記室内熱交換器（２０１）へと空気を送る室内ファン（２０２）を備え、前記制御部（２５０）は前記室内ファンの回転速度を低下させて前記暖房能力を低下させる。
【００１１】
本発明にかかる空気調和温水機器システムの第３の態様は、第１の態様にかかる空気調和温水機器システムであって、前記制御部（１５０，２５０，３５０）は前記室内ユニット（２００）が設けられる室内の設定温度に基づいて前記室外ユニット（１００）及び前記室内ユニットを制御し、前記加熱能力が前記所定値よりも低いときに、前記設定温度を低下させて前記暖房能力を低下させる。
【００１２】
本発明にかかる空気調和温水機器システムの第４の態様は、第１から第３の何れか一つの態様にかかる空気調和温水機器システムであって、前記制御部（１５０，２５０，３５０）は、前記湯水の温度の時間に対する上昇割合が第２所定値よりも小さいときに、前記加熱能力が前記所定値よりも低いと判断する。
【００１３】
本発明にかかる空気調和温水機器システムの第５の態様は、第１から第３のいずれか一つの態様にかかる空気調和温水機器システムであって、前記制御部（１５０，２５０，３５０）は前記水−冷媒熱交換器（３１１）へと前記冷媒を供給し始めてから所定期間が経過した後の前記湯水の前記温度が第３所定値よりも小さいときに、前記加熱能力が前記所定値よりも低いと判断する。
【００１４】
本発明にかかる空気調和温水機器システムの第６の態様は、第１から第３の何れか一つの態様にかかる空気調和温水機器システムであって、前記制御部（１５０，２５０，３５０）は、前記水−冷媒熱交換器（３１１）における前記冷媒の凝縮温度が第４所定値よりも小さいときに、前記加熱能力が前記所定値よりも低いと判断する。
【００１５】
本発明にかかる空気調和温水機器システムの第７の態様は、第１から第６のいずれか一つの態様にかかる空気調和温水機器システムであって、前記制御部（１５０，２５０，３５０）は前記加熱能力が前記所定値よりも小さいかどうかを複数の時点で判断し、その各々の時点で肯定的な判断がなされれば、その都度、前記暖房能力を低下させる制御を行う。
【００１６】
本発明にかかる空気調和温水機器システムの第８の態様は、第１乃至第７のいずれか一つの態様にかかる空気調和温水機器システムであって、前記室内ユニット（２００）は複数あって、前記複数の前記室内ユニットの少なくとも一つに優先が割り当てられ、前記複数の前記室内ユニットのうち、前記優先が割り当てられなかった室内機の少なくとも一つに非優先が割り当てられ、前記制御部（１５０，２５０，３５０）は、前記加熱能力が前記所定値よりも低いときに、前記非優先が割り当てられた前記室内ユニットの前記暖房能力を低下させる。
【発明の効果】
【００１７】
本発明にかかる空気調和温水機器システムの第１の態様によれば、同じ能力を出すための凝縮温度が室内熱交換器よりも水−冷媒熱交換器の方が低いので室内ユニット側で大きな暖房能力が出やすいところ、温水ユニットの加熱能力が低いときに室内ユニットの暖房能力を低減させるので、これに応じて温水ユニットの加熱能力が増大して湯水の温度の上昇を早めることができる。換言すれば、温水ユニットの加熱能力を増大させるのに室外ユニットの能力を増大させる必要が無い。しかも、室内熱交換器と水−冷媒熱交換器が並列接続される従来の冷媒回路を採用しているので、製造コストも抑制できる。
【００１８】
本発明にかかる空気調和温水機器システムの第２の態様によれば、室内ファンの回転速度を低下させることで室内ユニットの暖房能力を低下させているので、制御が簡単である。
【００１９】
本発明にかかる空気調和温水機器システムの第３の態様によれば、設定温度を低下させることで室内ユニットの暖房能力を低下させているので、制御が簡単である。
【００２０】
本発明にかかる空気調和温水機器システムの第４の態様によれば、温水ユニットの出力（温水の温度）に基づいているので、より直接に必要な能力を与えることができる。
【００２１】
本発明にかかる空気調和温水機器システムの第５の態様によれば、一定時間経過後の温度の値に基づいて制御されるので、上昇割合を算出する処理が不要であり、処理が簡単である。
【００２２】
本発明にかかる空気調和温水機器システムの第６の態様によれば、請求項４と比較して、上昇割合を算出する必要がなく処理が容易である。
【００２３】
本発明にかかる空気調和温水機器システムの第７の態様によれば、より細かく調整を行うことができる。
【００２４】
本発明にかかる空気調和温水機器システムの第８の態様によれば、優先される室内ユニットの暖房能力を維持しつつも、温水ユニットの加熱能力を向上することができる。
【図面の簡単な説明】
【００２５】
【図１】空気調和温水機器システムの概念的な構成の一例である。
【図２】空気調和温水機器システムの概念的な構成の一例である。
【図３】制御部の概念的な構成の一例である。
【図４】温水の時間に対する変化の一例を示す図である。
【図５】制御部の概念的な構成の他の一例である。
【発明を実施するための形態】
【００２６】
＜空気調和温水機器システム＞
図１に例示するように、空気調和温水機器システムは室外ユニット１００と少なくとも一つの室内ユニット２００と少なくとも一つ以上の温水ユニット３００とを備えている。
【００２７】
図１の例示では、２つの室内ユニット２００と１つの温水ユニット３００とが設けられている。一つの室内ユニット２００と室外ユニット１００とは液冷媒配管４１１およびガス冷媒配管４２１を介して相互に接続されている。他の一つの室内ユニット２００と室外ユニット１００とは液冷媒配管４１２およびガス冷媒配管４２２を介して相互に接続されている。室外ユニット１００と各室内ユニット２００とは互いに連動して動作して、各室内ユニット２００が設けられる室内の空気（例えば空気の対流、温度または湿度）を調整することができる。
【００２８】
温水ユニット３００と室外ユニット１００とは液冷媒配管４１３およびガス冷媒配管４２３を介して相互に接続されている。室外ユニット１００と温水ユニット３００とは互いに連動して動作して湯水（水を含む）を温める。ここでは温水ユニット３００は例えば床暖房に用いられる。図１の例示では、温められた湯水は温水配管４３を介して床暖房パネル３２０に供給されて室内の床を暖める。
【００２９】
かかる空気調和温水機器システムでは、空気調和機（室外ユニット１００と室内ユニット２００の一組）と温水機器（室外ユニット１００と温水ユニット３００の一組）とが一つの室外ユニット１００を共用しているので、システムの規模およびコストを低減することができる。
【００３０】
図２を参照して、空気調和温水機器システムのより詳細な構成の一例について説明する。各室内ユニット２００は室内熱交換器２０１と室内ファン２０２とを備えている。一つの室内ユニット２００に属する室内熱交換器２０１の両端にはそれぞれ液冷媒配管４１１とガス冷媒配管４２１とが接続されている。他の一つの室内ユニット２００に属する室内熱交換器２０１の両端にはそれぞれ液冷媒配管４１２とガス冷媒配管４２２とが接続されている。これらの室内熱交換器２０１に冷媒が流れると冷媒と空気との間で熱交換が行われる。例えばガス冷媒配管を流れる気体状態の冷媒は、室内熱交換器２０１において空気へと放熱することにより液体状態へと変わって、その後、液冷媒配管を流れる。これにより空気へと放熱し、暖房運転が行われる。このとき室内熱交換器２０１は凝縮器として機能する。冷媒が逆に流れる場合には冷媒が室内熱交換器２０１において空気から熱を吸収し、冷房運転が行われる。このとき室内熱交換器２０１は蒸発器として機能する。
【００３１】
室内ファン２０２は室内熱交換器２０１へと空気を送るとともに、熱交換された空気を室内へと吹き出させる。これにより暖かい空気又は冷たい空気が室内に供給される。なお冷媒が室内熱交換器２０１を流れていないときにも室内ファン２０２を回転させることによって、単に室内の空気を循環することもできる。
【００３２】
温水ユニット３００は水−冷媒熱交換器３１１と循環ポンプ３１３とを備えている。
【００３３】
水−冷媒熱交換器３１１の両端にはそれぞれ液冷媒配管４１３及びガス冷媒配管４２３が接続される。また水−冷媒熱交換器３１１には温水配管４３も接続されている。水−冷媒熱交換器３１１において、冷媒と湯水（水も含む）との間で熱交換が行われる。より詳細には、気体状態の冷媒がガス冷媒配管４２３から水−冷媒熱交換器３１１へ流入される。水−冷媒熱交換器３１１において冷媒は温水配管４３から流入される湯水へと放熱する。つまり水−冷媒熱交換器３１１は凝縮器として機能する。そして、当該放熱によって冷媒は液体状態に変わって液冷媒配管４１３を流れる。かかる放熱によって湯水が温められる。
【００３４】
温められた湯水は例えばタンク３１２へと供給される。タンク３１２は例えば膨張タンクであって、温水配管４３において設けられ、温度上昇に起因する湯水の体積膨張を吸収する。循環ポンプ３１３は例えばタンク３１２の出口側で温水配管４３に設けられて、湯水を循環させる。また図２の例示では温水配管４３に往きヘッダ３１４と戻りヘッダ３１６が設けられている。往きヘッダ３１４は温水配管４３を複数の温水配管に分岐するための部品である。図２の例示では往きヘッダ３１４は循環ポンプ３１３の出力側に設けられて、一つの温水配管を４つの温水配管に分岐している。かかる４つの温水配管の各々には熱動弁３１５が設けられている。熱動弁３１５はそれぞれ温水配管の開閉を制御する。
【００３５】
図２の例示では４つの温水配管のうち２つの温水配管がそれぞれ２つの床暖房パネル３２０を通る。このとき湯水が床へと放熱して床を暖める。残りの２つの温水配管についてはその接続先が図示されていないが、例えばパネルラジエータなどの機器に用いられてもよい。そして、これらの４つの温水配管が戻りヘッダ３１６へと接続される。戻りヘッダ３１６は複数の温水配管を一つの温水配管に合流させるための部品である。図２の例示では床を通った２つの温水配管とそれ以外の２つの温水配管が戻りヘッダ３１６によって１本の温水配管４３に合流される。そして例えば床暖房パネル３２０やパネルラジエータなどで冷やされた湯水が再び水−冷媒熱交換器３１１へと供給されて暖められる。
【００３６】
なお、図２の例示では、戻りヘッダ３１６と水−冷媒熱交換器３１１との間で水抜き栓３１７が設けられている。これにより、古くなった湯水を排出することができる。また新しい湯水は例えばタンク３１２に供給口を設け、かかる供給口からタンク３１２を経由して温水配管４３へと供給されてもよい。
【００３７】
室外ユニット１００は室内ユニット２００及び温水ユニット３００の熱源として機能する。室外ユニット１００は圧縮機１０１と四方弁１０４と室外熱交換器１０５と室外ファン１０６と複数の膨張弁１０７とを備えている。
【００３８】
圧縮機１０１と四方弁１０４とはガス冷媒配管４２に設けられる。圧縮機１０１は吸入口から吸入される低圧の冷媒を圧縮し、圧縮された高圧の冷媒を吐出口から吐出する。なお図２の例示では、圧縮機１０１の吸入口側にはアキュムレータ１０２が設けられる。アキュムレータ１０２は余剰な冷媒を蓄えることができる。また図２の例示では圧縮機１０１の吐出側にはマフラ１０３が設けられている。マフラ１０３は冷媒の流れに生じる脈動を抑制することができる。マフラ１０３の出力側およびアキュムレータ１０２の入力側には四方弁１０４が設けられる。四方弁１０４は、圧縮機１０１の吐出口をガス冷媒配管４２１〜４２３に接続し、その吸入口を室外熱交換器１０５にそれぞれ接続した第１状態（図２の状態）と、その吐出口を室外熱交換器１０５に接続し、その吸入口をガス冷媒配管４２１〜４２３に接続した第２状態とを切り替える。なおガス冷媒配管４２１〜４２３はガス冷媒配管４２に合流しており、このガス冷媒配管４２が四方弁１０４に接続される。
【００３９】
室外熱交換器１０５の両端にはそれぞれガス冷媒配管４２と液冷媒配管４１が接続される。室外熱交換器１０５の内部において冷媒と空気と間で熱交換が行われる。例えばガス冷媒配管４２を流れる気体状態の冷媒が室外熱交換器１０５において空気へと放熱することにより液体状態へと変わって、その後、液冷媒配管４１を流れる。このとき室外熱交換器１０５は凝縮器として機能する。一方、冷媒が逆に流れる場合には、室外熱交換器１０５において冷媒が空気から吸熱する。このとき室外熱交換器１０５は蒸発器として機能する。なお液冷媒配管４１は液冷媒配管４１１〜４１３に分岐する。
【００４０】
膨張弁１０７はそれぞれ液冷媒配管４１１〜４１３に設けられている。膨張弁１０７は冷媒を例えば絞り膨張させる。また図２の例示では、液冷媒配管４１１〜４１３の各々にフィルタ１０８が設けられている。フィルタ１０８は例えば冷媒中に含まれる氷を除去することができる。
【００４１】
図２の例示では液冷媒配管４１１〜４１３の各々に液閉鎖弁１０９が設けられ、ガス冷媒配管４２１〜４２３の各々にガス閉鎖弁１１０が設けられている。液閉鎖弁１０９およびガス閉鎖弁１１０はそれぞれ配管の開閉を制御する。例えば一つの室内ユニット２００を動作させない場合は、液冷媒配管４１１に設けられる液閉鎖弁１０９およびガス冷媒配管４２１に設けられるガス閉鎖弁１１０を閉じる制御が実行されるとよい。
【００４２】
本空気調和温水機器システムにおいて、室内熱交換器２０１の一つと圧縮機１０１と室外熱交換器１０５の接続態様について着目すると、これらは互いに直列に接続される。一方、水−冷媒熱交換器３１１と圧縮機１０１と室外熱交換器１０５の接続態様について着目すると、これらは互いに直列に接続される。また室内熱交換器２０１の一つと水−冷媒熱交換器３１１との接続態様について着目すると、これらは互いに並列に接続されている。このような構造は従来から用いられており、本実施の形態にかかる空気調和温水機器システムを実現するために専用の部材を要しない。よって製造コストの増大を抑制できる。
【００４３】
次に、本空気調和温水機器システムにおいて、各室内ユニット２００において暖房運転を行い温水ユニット３００において床暖房運転を行う場合の冷媒の流れについて説明する。四方弁１０４は第１状態（図２の状態）を採用する。圧縮機１０１は冷媒を圧縮して、圧縮後の冷媒を室内熱交換器２０１及び水−冷媒熱交換器３１１へと供給する。冷媒は室内熱交換器２０１及び水−冷媒熱交換器３１１において放熱して液体状態の冷媒へと変わる。その後、冷媒が膨張弁１０７によって絞り膨張されて室外熱交換器１０５へと流れ、室外熱交換器１０５において熱を吸収して気体状態の冷媒に変わる。この気体状態の冷媒が再び圧縮機１０１で圧縮され、上述した経路を循環する。
【００４４】
なおここでは、室内ユニット２００もしくは、温水ユニット３００が暖房運転する際には、他の室内ユニット２００は冷房運転及び除湿運転を行わない。室内ユニット２００が冷房運転或いは除湿運転を行う場合には、四方弁１０４は第１状態に切り替えられ、停止中の他の室内ユニット及び温水ユニットに対応する膨張弁１０７は閉じられて、冷媒の流れを遮断する。
【００４５】
さて、互いに異なる室外ユニットに接続された室内ユニット２００および温水ユニット３００を仮定する。室内ユニット２００が発揮する暖房能力と温水ユニット３００が発揮する加熱能力（湯水に与える加熱能力）とを互いに同一にしようとすれば、室内熱交換器２０１における冷媒の凝縮温度を、水−冷媒熱交換器３１１における冷媒の凝縮温度よりも低く制御する必要がある。かかる制御は例えば室内熱交換器２０１へと供給する冷媒の圧力を水−冷媒熱交換器３１１へと供給する冷媒の圧力よりも低くすることで実現される。このとき室内熱交換器２０１における冷媒の凝縮温度は例えば摂氏４０℃程度であり、水−冷媒熱交換器３１１は例えば摂氏５０度程度である。かかる凝縮温度の相違は例えば次の理由による。即ち冷媒と水との熱交換は冷媒と空気との間の熱交換に比べて効率が低く、しかも熱交換後の空気が直接に室内に供給されて暖房運転が行われるのに対し、熱交換後の湯水が床パネルで再度熱交換されて床暖房運転が行われる。さらに床パネルにおける湯水の熱交換は効率がそれほど高くない。
【００４６】
しかしながら、一つの室外ユニット１００を共用する本空気調和温水機器システムにおいては、室内熱交換器２０１および水−冷媒熱交換器３１１における冷媒の凝縮温度はほぼ等しい。よって、室内ユニット２００が発揮する暖房能力は温水ユニット３００が発揮する加熱能力に比べて高くなりやすい。よって、空気調和温水機器システムにおいて例えば室内ユニット２００と温水ユニット３００との運転を同時に開始すると、室内ユニット２００において出力される加熱能力が大きく、温水の温度が上がりにくい。床暖房は空気調和機よりも居住者にとって暖房快適性に優れているので、優先的に床暖房を行うことが望ましい。この点に鑑みて本空気調和温水ユニットは以下で例示する制御部によって後述する制御を実行する。
【００４７】
＜制御部＞
室外ユニット１００、室内ユニット２００および温水ユニット３００はそれぞれ制御部を備えており、これらの制御部が相互に通信する。図３は通信に関する各制御部の接続関係を例示している。例えば制御部１５０は室外ユニット１００に設けられ、各制御部２５０は各室内ユニット２００に設けられ、制御部３５０は温水ユニット３００に設けられる。制御部１５０，２５０，３５０はそれぞれ通信部１５１，２５１，３５１を有している。これらは有線または無線によって相互に通信可能に接続されている。図２の例示では、制御部１５０，２５０，３５０はディジーチェーンによって互いに接続されている。これにより新たな室内ユニット又は温水ユニットを設けられる場合に新たな制御部の接続を容易にできる。
【００４８】
制御部１５０は室外ユニット１００に設けられた各駆動要素（圧縮機１０１、四方弁１０４、室外ファン１０６、膨張弁１０７及び閉鎖弁１０９，１１０）を制御する。制御部２５０は室内ユニット２００に設けられた駆動要素（室内ファン２０２）を制御する。制御部３５０は温水ユニット３００に設けられた各駆動要素（循環ポンプ３１３、熱動弁３１５）を制御する。
【００４９】
また例えば制御部２５０，３５０にはそれぞれリモートコントローラ２６０，３６０が接続される。リモートコントローラ２６０には、例えば運転開始／停止の切り替え、冷房／暖房／除湿／送風の切り替え、室内温度の設定を入力する入力部などが設けられる。リモートコントローラ３６０には例えば運転開始／停止の切り替え、温水温度（床暖房温度）の高低の設定を入力する入力部などが設けられる。
【００５０】
これらの入力部はユーザによって操作される。そして、この入力部の操作によって当該操作に応じた情報が制御部２５０，３５０に送信される。制御部２５０，３５０はこれを制御部１５０に送信する。制御部１５０は受け取った情報に基づいて室外ユニット１００の各構成要素を制御するとともに室内ユニット２００及び温水ユニット３００に制御信号を送信する。制御部２５０は制御信号に応じて室内ファン２０２を制御し、制御部３５０は制御信号に応じて温水ユニット３００の各構成要素を制御する。このような制御によって上述した空調運転及び床暖房運転が実行される。
【００５１】
制御部１５０は温水ユニットの加熱能力をモニタすることができる。図２の例示では、温水ユニット３００には温水配管４３を流れる湯水の温度を測定する戻り水温センサー３１８が設けられている。より詳細な一例として、戻り水温センサー３１８は床暖房パネル３２０よりも冷媒の下流側で温水配管４３に設けられて、温水配管４３を流れる湯水の温度を測定している。温水ユニットが発揮する加熱能力と、湯水の温度の時間に対する上昇割合との間には正の相関関係があるので、湯水の温度に基づいて温水ユニットの加熱能力を把握することができる。
【００５２】
そして、温水ユニット３００の加熱能力が所定値を下回るときに、制御部１５０は室内ユニット２００の暖房能力を低下させる。なお加熱能力が所定値と一致する場合は、分岐のいずれを採用してもよい。つまりこの場合は暖房能力を低下させてもよく、低下させなくてもよい。この点は、比較値（上述の例では加熱能力）と所定値との大小関係に基づいて行う他の制御についても同様であるので、繰り返しの説明を省略する。
【００５３】
以下、より詳細な一例について説明する。戻り水温センサー３１８が検出した検出温度は制御部３５０に出力される。制御部３５０は検出温度を制御部１５０に送信する。制御部１５０は例えば図４を参照して、時刻ｔ２における温水の温度Ｔ１と、時刻ｔ３における温水の温度Ｔ２とを用いて、時刻ｔ２，ｔ３の間における温水の温度の上昇割合（＝（Ｔ２−Ｔ１）／（ｔ３−ｔ２））を算出する。なお図４は温水ユニット３００の能力が高い場合および低い場合の、温水の温度の時間に対する変化を表している。図４の例示では、十分な能力が発揮されたときの温度の変化が破線で表されている。また図４の例示では時刻ｔ１において温水ユニット３００が運転を開始し、時刻ｔ１以降において温水の温度が時間の経過と共に上昇する。図４の例示から理解できるように、温水ユニット３００が発揮する加熱能力が不足していれば、温水の温度が目標値Ｔ*に至るまでの時間が長い。
【００５４】
さて制御部１５０は、算出した上昇割合が基準値を下回るとき（換言すれば温水ユニット３００の加熱能力が所定値を下回るとき）には、例えば次の方法により、少なくとも一つの室内ユニット２００の暖房能力を低下させる。制御部１５０は室内ユニット２００の暖房能力を低下させる制御信号を制御部２５０に送信する。当該制御信号を受け取った制御部２５０は例えば室内ファン２０２の回転速度を低下させる。これにより、室内ユニット２００の暖房能力を低下させることができる。これに伴って、温水ユニット３００の加熱能力が増大する。この理由を簡単に言えば次のとおりとなる。室外ユニット１００の能力は室内ユニット２００および温水ユニット３００の能力の和であるところ、室外ユニット１００の能力はほとんど変わらないからである。よって室内ユニット２００の能力低下に伴って温水ユニット３００の能力が増大する。即ち水−冷媒熱交換器３１１の出口側の温水の温度の上昇割合が増大する。
【００５５】
以上のように、共通の室外ユニット１００に接続された室内ユニット２００および温水ユニット３００においては、温水ユニット３００に比して室内ユニット２００の能力が大きくなりやすいところ、本空気調和温水機器システムによれば温水ユニット３００の能力を優先して増大させることができる。換言すれば、温水ユニット３００の加熱能力を増大させるのに室外ユニット１００の能力を増大させる必要が無い。
【００５６】
また室内ファンの回転速度を低下させることで室内ユニットの暖房能力を低下させれば簡単な制御で室内ユニットの暖房能力を低下することができる。
【００５７】
また湯水の温度の上昇割合に基づいて加熱能力をモニタすれば、加熱能力は温水ユニット３００の出力（温水の温度）に基づいているので、高い精度でモニタすることができると共により直接に必要な加熱能力を実現することができる。
【００５８】
なお、温水ユニット３００の加熱能力が所定値を下回るかどうかの判断は制御部１５０によって行われる必要はなく、制御部２５０または制御部３５０によって行われても良い。この点は後述する他の態様にも適用可能であるため繰り返しの説明を避ける。
【００５９】
＜室内ユニット２００の能力を低減させる制御＞
制御部１５０は、温水ユニット３００の加熱能力が所定値を下回るときに、室内ユニット２００についての設定温度を低下させてもよい。室内ユニット２００には例えば室温を検出する室温センサー２０３が設けられており、例えば制御部１５０，２５０は検出された室温が設定温度に近づくように室外ユニット１００及び室内ユニット２００を制御している。そして上述したように設定温度を低下させると、室内へと与えられる熱量が低下するので、室内ユニット２００の暖房能力を低下させることができる。かかる設定温度の低下は例えば室内ファン２０２の回転速度及び／又は例えば室内ユニット２０１に繋がる液冷媒配管に設けられた膨張弁１０７を制御することで実現できる。かかる室内ユニット２００の能力の低下に伴って温水ユニット３００の能力が増大する。かかる制御に拠れば、設定温度を低下させることで室内ユニットの暖房能力を低下させているので、制御が簡単である。
【００６０】
＜温水ユニット３００の能力のモニタ＞
例えば制御部１５０は、温水ユニット３００の加熱能力が所定値を下回ることを次のように判定しても良い。即ち、図４を参照して、温水ユニット３００の運転を開始する時刻ｔ１から所定期間が経過した後の時刻ｔ４において、温水の温度が基準値Ｔｒｅｆを下回ることを以って温水ユニット３００の加熱能力が所定値を下回ると判定する。これによれば、温水の温度の上昇割合を算出する必要がないので処理が容易である。
【００６１】
また温水ユニット３００の加熱能力は、温水の温度を検出することでモニタされる必要はない。例えば水−冷媒熱交換器３１１を流れる冷媒の凝縮温度と、温水ユニット３００の加熱能力との間には正の相関関係がある。よって、温水ユニット３００の加熱能力を冷媒の凝縮温度を用いてモニタしても良い。図２の例示では水−冷媒熱交換器３１１を流れる冷媒の中間温度を検出する水−冷熱交換温度センサー３１９が設けられている。かかる冷媒の中間温度は冷媒の凝縮温度とみなすことができるので、水−冷熱交換温度センサー３１９が検出した温度によって温水ユニット３００の加熱能力をモニタすることができる。より詳細には、冷媒の凝縮温度が所定値を下回るときに、温水ユニット３００の加熱能力が所定値を下回ると判断する。これによれば、湯水の温度の上昇割合を算出する必要がなく、処理が容易である。
【００６２】
かかる水−冷熱交換温度センサー３１９は、液管温度センサー１１１とともに、例えば次の制御にも用いることができる。液管温度センサー１１１は膨張弁１０７と水−冷媒熱交換器３１１との間に設けられて液冷媒配管４１３を流れる冷媒の温度を検出する。検出した温度は例えば制御部１５０へと入力される。制御部１５０は水−冷熱交換温度センサー３１９からの凝縮温度と液管温度センサー１１１からの温度との差を算出して冷媒の過冷却度を求める。また制御部１５０には目標過冷却度が入力され、或いは他のパラメータ（例えば温水の目標温度など）から算出され、制御部１５０，３５０は過冷却度と目標過冷却度との偏差に基づいて、室外ユニット１００および温水ユニット３００を制御する。このような制御方法を採用する場合であれば、水−冷熱交換温度センサー３１９は既存の温度センサーを採用することができる。よって製造コストの増大を招かない。
【００６３】
また制御部１５０は温水ユニット３００の加熱能力が所定値よりも小さいかどうかを複数の時点で判断し、その各々の時点で肯定的な判断がなされれば、その都度、室内ユニット２００の暖房能力を低下させる制御を行ってもよい。例えば図４を参照して、時刻ｔ２を含む第１期間、第１期間とは別の、時刻ｔ３を含む第２期間、第１及び第２の期間とは別の第３期間の各々において、温水ユニット３００の加熱能力をモニタする。そして、第１ないし第３の期間の各々において加熱能力が所定値を下回るときに、室内ユニット２００の暖房能力を低減させてもよい。これによって、より細かく調整を行うことができる。
【００６４】
＜優先／非優先の設定＞
図２に例示するように複数の室内ユニット２００が設けられている場合に、これらの各々に優先度を設定しても良い。例えば一の室内ユニット２００に優先度として「優先」を設定し、他の一の室内ユニット２００に優先度として「非優先」を設定する。かかる設定は例えばリモートコントローラ２６０からユーザによって設定される。例えば図５に例示するように、リモートコントローラ２６０には、各室内ユニット２００に優先度を入力する入力部２６１が設けられる。そして例えばリモートコントローラ２６０からの優先度についての設定情報が制御部２５０を経由して制御部１５０へと送信され、制御部１５０は自身に属する記録媒体１５２に当該設定情報を記録する。なお優先度は必ずしも記録媒体１５２に記録される必要はなく、制御部２５０又は制御部３５０に属する記録媒体に記録されても良い。
【００６５】
そして、温水ユニット３００の加熱能力が所定値を下回るときに、制御部１５０，２５０は優先度として「非優先」に設定された室内ユニット２００の暖房能力を低下させる。これにより、温水ユニット３００の加熱能力を向上させるとともに、優先度の高い室内ユニット２００の暖房能力の低下を回避することができる。換言すれば、優先される室内ユニット２００の暖房能力を維持しつつも、温水ユニット３００の加熱能力を向上することができる。
【００６６】
なお３台以上の室内ユニット２００が設けられているときには、例えばそのうち２台を「優先」に設定し、残りの１台を「非優先」に設定してもよく、或いは１台を「優先」に設定し、残りの２台を「非優先」に設定してもよい。すなわち、「優先」を割り当てる台数および「非優先」を割り当てる台数は任意である。また複数の優先度を複数台の室内ユニット２００にそれぞれ割り当て、優先度の低い室内ユニット２００から順次に暖房能力を低下させてもよい。そして、温水ユニット３００の加熱能力が十分な値に達すれば、それよりも優先度の高い室内ユニット２００の暖房能力を低下させない。これによって、比較的に優先度の高い室内ユニット２００の能力低下を抑制しつつも、温水ユニット３００の加熱能力を高めることができる。
【００６７】
また床暖房パネル３２０が設けられた室内と同じ室内に設けられる室内ユニット２００に対して、優先度として「優先」（或いは高い優先度）を設定してもよい。床暖房パネル３２０が設けられる室内は、他の室内に比べて、ユーザによって使用される頻度が高い。本制御によれば、使用頻度の高い室内に対して、比較的高い能力で暖房運転および床暖房運転を行うことができる。
【００６８】
かかる優先度の設定は、例えば上述のようにユーザが入力して実現されてもよく、また例えば次のように実現されてもよい。即ち、室内ユニット２００及び温水ユニット３００が設けられる室内を例えば制御部１５０に記憶させる。例えば制御部１５０は室内ユニット２００および温水ユニット３００の識別番号（例えば通信用アドレス）と、室内を区別する番号とをそれぞれ対応させて記録する。この情報は、ユーザ（或いは作業員）が例えばリモートコントローラ３６０を操作して入力されるとよい。そして例えば制御部１５０は温水ユニット３００と同じ室内に設けられる室内ユニット２００に対して優先度として「優先」（或いは高い優先度）を設定する。
【符号の説明】
【００６９】
１００  室外ユニット
１０１  圧縮機
１０５  室外熱交換器
１５０，２５０，３５０  制御部
２００  室内ユニット
２０１  室内熱交換器
２０２  室内ファン
３００  温水ユニット
３１１  水−冷媒熱交換器
【図１】
2012141113.tif 000003
【図２】
2012141113.tif 000004
【図３】
2012141113.tif 000005
【図４】
2012141113.tif 000006
【図５】
2012141113.tif 000007